(57)【要約】【課題】周辺機器に搭載されたチューナーの種別に応じた処理を行うことができる映像表示システムを提供する。【解決手段】映像表示システム１は、ディスプレイ１７および制御部２０を少なくとも備えるメイン装置１０と、チューナー４４，６４および制御部４２，６２を少なくとも備える一つ又は複数のサブ装置４０，６０と、メイン装置１０とサブ装置４０，６０との間に配設された信号線７０と、を含んで構成される。メイン装置１０の制御部２０は、サブ装置４０，６０のチューナー４４，６４の種別を問い合わせるための制御信号を、制御用信号線７６を介してサブ装置４０，６０に送信する。サブ装置４０，６０の制御部４２，６２は、メイン装置１０からの制御信号を受信した場合に、当該制御信号に対応する処理を実行する。【選択図】図１
2008079128.tif 000002
【特許請求の範囲】
【請求項１】
放送される映像信号を受信して、当該映像信号に応じた表示を行うための映像表示システムであって、
映像信号に応じて映像を表示するためのディスプレイと、メイン装置の動作を制御する制御部と、を少なくとも備えるメイン装置と、
放送される映像信号を受信するためのチューナーと、前記メイン装置と制御信号を送受信してサブ装置の動作を制御する制御部と、を少なくとも備える一つ又は複数のサブ装置と、
前記メイン装置と前記サブ装置との間に配設された信号線であって、前記サブ装置から前記メイン装置に映像信号を伝達するための映像用信号線、および、前記メイン装置と前記サブ装置との間で制御信号を伝達するための制御用信号線と、
を含み、
前記メイン装置の制御部は、前記サブ装置のチューナーの種別を問い合わせるための制御信号を、前記制御用信号線を介して前記サブ装置に送信し、
前記サブ装置の制御部は、前記メイン装置からの前記制御信号を受信した場合に、当該制御信号に対応する処理を実行することを特徴とする映像表示システム。
【請求項２】
前記サブ装置の制御部は、前記メイン装置からの前記制御信号を受信した場合に、当該制御信号に対応する処理として、前記サブ装置のチューナーの種別情報を含む応答信号を、前記制御用信号線を介して前記メイン装置に送信することを特徴とする映像表示システム。
【請求項３】
前記メイン装置の制御部は、
放送チャンネルを切り替えるための特定操作がユーザにより行われたことを判別し、かつ、前記サブ装置からの応答信号に含まれるチューナーの種別情報に基づいて前記サブ装置が独自種別のチューナーを備えることを判別した場合に、
前記ディスプレイに表示される映像信号を、前記サブ装置のチューナーとは異なる種別のチューナーにより受信される映像信号から、前記サブ装置の独自種別のチューナーにより受信される映像信号に切り替えることを特徴とする請求項２に記載の映像表示システム。
【請求項４】
放送チャンネルを切り替えるための前記特定操作は、最大の放送チャンネルの映像がディスプレイに表示される状況においてチャンネルアップする操作、または、最小の放送チャンネルの映像がディスプレイに表示される状況においてチャンネルダウンする操作の少なくとも一方であることを特徴とする請求項３に記載の映像表示システム。
【請求項５】
放送チャンネルを切り替えるための前記特定操作は、チューナーの種別を切り替えるための操作であることを特徴とする請求項３に記載の映像表示システム。
【請求項６】
前記メイン装置の制御部により送信される前記制御信号は、チューナーの種別を特定するチューナー種別情報を含み、前記サブ装置のチューナーの種別が当該チューナー種別情報により特定される種別であるか否かを問い合わせるための信号であり、
前記サブ装置の制御部は、前記チューナー種別情報により特定される種別のチューナーを自ら備えている場合に、前記制御信号に対応する処理として、前記チューナー種別情報により特定される種別のチューナーを用いて受信される映像信号を前記映像用信号線を介して前記メイン装置に出力することを特徴とする請求項１に記載の映像表示システム。
【請求項７】
前記メイン装置の制御部により送信される前記制御信号は、放送チャンネルを特定する放送チャンネル情報を含む信号であり、
前記サブ装置の制御部は、前記制御信号に対応する処理として、前記チューナー種別情報により特定される種別のチューナーを用いて受信された映像信号であって、前記放送チャンネル情報により特定される放送チャンネルの映像信号を、前記映像用信号線を介して前記メイン装置に出力することを特徴とする請求項６に記載の映像表示システム。
【請求項８】
前記メイン装置の制御部は、
ユーザによる特定操作に対応してチューナー種別情報が登録されたデータを有し、
ユーザにより特定操作が行われた場合に、この特定操作に対応して登録されたチューナー種別情報を含む制御信号を、前記制御用信号線を介して前記サブ装置に送信することを特徴とする請求項６に記載の映像表示システム。
【請求項９】
前記特定操作は、前記メイン装置用のリモートコントローラに設けられたボタンの操作であることを特徴とする請求項８に記載の映像表示システム。
【請求項１０】
前記映像用信号線および前記制御用信号線は、ＨＤＭＩ規格に準拠していることを特徴とする請求項１に記載の映像表示システム。
【請求項１１】
前記チューナー種別情報とは、地上波放送を受信するチューナー、ＢＳ放送を受信するチューナー、ＣＳ放送を受信するチューナーのいずれかを特定する情報であることを特徴とする請求項２に記載の映像表示システム。
【請求項１２】
放送される映像信号に応じた表示を行うための映像表示システムのメイン装置であって、
当該メイン装置は、映像信号を伝達するための映像用信号線、および、制御信号を伝達するための制御用信号線に接続されており、
映像用信号線を経由してサブ装置から送られてくる映像信号に応じて映像を表示するディスプレイと、
メイン装置の動作を制御する制御部であって、制御用信号線を介してサブ装置との間で制御信号を送受信する制御部と、
を少なくとも備え、
制御部は、サブ装置が備えるチューナーの種別を問い合わせるための制御信号を、制御用信号線を介してサブ装置に送信することを特徴とする映像表示システムのメイン装置。
【請求項１３】
放送される映像信号に応じた表示を行うための映像表示システムのサブ装置であって、  当該サブ装置は、映像信号を伝達するための映像用信号線、および、制御信号を伝達するための制御用信号線に接続されており、
放送される映像信号を受信するためのチューナーと、
サブ装置の動作を制御する制御部であって、前記制御用信号線を介してメイン装置との間で制御信号を送受信する制御部と、
を少なくとも備え、
前記制御部は、サブ装置が備えるチューナーの種別を問い合わせるための制御信号を前記メイン装置から受信した場合に、当該制御信号に対応する処理を実行することを特徴とする映像表示システムのサブ装置。
【発明の詳細な説明】
【技術分野】
【０００１】
本発明は、放送される映像信号を受信して、当該映像信号に応じた表示を行うための映像表示システムに関する。
【背景技術】
【０００２】
従来より、放送される映像信号を受信して、当該映像信号に応じた表示を行うための映像表示システムが知られている。このような映像表示システムは、例えば、ディスプレイおよび地上波放送を受信するチューナーを備えるテレビジョン装置を中心として、このテレビジョン装置にＢＳ（Broadcasting Satellite）放送やＣＳ（Communication Satellite）放送などを受信可能な周辺機器をユーザーの任意に接続することで構成される。テレビジョン装置に周辺機器を接続して構成された映像表示システムの一例が、下記の特許文献１に開示されている。
【０００３】
映像表示システムにおいて、テレビジョン装置とその周辺機器との間で映像信号や音声信号などを入出力するためのインターフェース規格として、ＨＤＭＩ（High-Definition Multimedia Interface）規格がある。このＨＤＭＩ規格では、複数の信号線（映像信号を伝達するための信号線、音声信号を伝達するための信号線、および制御信号を伝達するための信号線）が１本のケーブルに纏められており、ケーブルの取り回しが容易になっている。また、ＨＤＭＩ規格に準拠したケーブルを介してやり取りされる制御信号は、ＨＤＭＩ‐ＣＥＣ（ConsumerElectronics Control）と呼ばれる制御プロトコルに従っている。ＨＤＭＩ‐ＣＥＣに従った制御信号がテレビジョン装置と周辺機器との間でやり取りされることにより、テレビジョン装置および周辺機器の連携した動作が実現されている。
【特許文献１】特開２００４−３０４２２０号公報
【発明の開示】
【発明が解決しようとする課題】
【０００４】
従来技術の映像表示システムでは、周辺機器に搭載されたチューナーの種別に応じた処理を行うことができなかった。この理由は、上述したＨＤＭＩ‐ＣＥＣなどの従来技術の制御プロトコルでは、周辺機器に搭載されたチューナーの種別に関するコマンドが規定されていないからである。
【０００５】
また、映像表示システムにおいてチューナー種別に応じた処理を実行可能とすることを目的として、次の方法を検討することができる。すなわち、周辺機器により受信された放送信号を試行的にテレビジョン装置に出力することにより、テレビジョン装置に周辺機器に搭載されたチューナーの種別を認識させることが実現可能であるかも知れない。しかしながら、このような方法を採用した場合には、周辺機器により受信された放送信号を試行的にテレビジョン装置に出力する必要があるため、周辺機器に搭載されたチューナーの種別をテレビジョン装置に認識させる処理が複雑となり、また長い時間を要してしまう。
【０００６】
本発明は、上記の課題を解決するためになされたもので、周辺機器に搭載されたチューナーの種別に応じた処理を行うことができる映像表示システムを提供することを目的とする。
【課題を解決するための手段】
【０００７】
上述した目的を達成するために、本発明は、放送される映像信号を受信して、当該映像信号に応じた表示を行うための映像表示システムであって、映像信号に応じて映像を表示するためのディスプレイと、メイン装置の動作を制御する制御部と、を少なくとも備えるメイン装置と、放送される映像信号を受信するためのチューナーと、メイン装置と制御信号を送受信してサブ装置の動作を制御する制御部と、を少なくとも備える一つ又は複数のサブ装置と、メイン装置とサブ装置との間に配設された信号線であって、サブ装置からメイン装置に映像信号を伝達するための映像用信号線、および、メイン装置とサブ装置との間で制御信号を伝達するための制御用信号線と、を含み、メイン装置の制御部は、サブ装置のチューナーの種別を問い合わせるための制御信号を、制御用信号線を介してサブ装置に送信し、サブ装置の制御部は、メイン装置からの制御信号を受信した場合に、当該制御信号に対応する処理を実行することを特徴とする。
【０００８】
上述した映像表示システムによれば、メイン装置はサブ装置のチューナーの種別を問い合わせるための制御信号を送信し、当該制御信号を受信したサブ装置は当該制御信号に対応する処理を実行する。このようなメイン装置およびサブ装置の連携した処理の結果、映像表示システムにおいてサブ装置に搭載されたチューナーの種別に応じた処理を実行することができる。
【発明の効果】
【０００９】
本発明によれば、サブ装置に搭載されたチューナーの種別に応じた処理を行うことができる映像表示システムを提供することができる。
【発明を実施するための最良の形態】
【００１０】
以下、図面を参照して、本発明に係る映像表示システムの好適な実施の形態について説明する。なお、同一要素には同一符号を用い、重複する説明は省略する。
【００１１】
［第１実施形態］
先ず、第１実施形態に係る映像表示システムについて説明する。図１には、映像の表示を行うための映像表示システム１が概略的に示されている。映像表示システム１は、テレビジョン装置１０と、ＡＶアンプ３０と、セットトップボックス４０と、ＤＶＤプレーヤー５０と、ＨＤＤレコーダー６０とを含み構成されている。これらのＡＶ機器１０，３０，４０，５０，６０の間にはＨＤＭＩ（High-Definition Multimedia Interface）規格に準拠したケーブル（以下、ＨＤＭＩケーブルと呼ぶ）７０が配設されており、これらのＡＶ機器１０，３０，４０，５０，６０はＨＤＭＩケーブル７０を介して互いに接続されている。テレビジョン装置１０は、映像表示システム１の中心となるメイン装置である。一方、ＡＶアンプ３０、セットトップボックス４０、ＤＶＤプレーヤー５０およびＨＤＤレコーダー６０は、映像表示システム１にユーザーの任意に接続されるサブ装置である。
【００１２】
テレビジョン装置１０は、映像を表示するためのディスプレイ１７を備えている。また、テレビジョン装置１０は、地上デジタル放送を受信するためのアンテナ１１およびチューナー１２を備えており、放送される映像信号および音声信号を受信する機能を有している。また、テレビジョン装置１０は、当該装置の動作を統括的に制御するための制御部２０を備えている。この制御部２０は、ＣＰＵ（Central Processing Unit）２１、ＲＡＭ（Random Access Memory）２３、ＲＯＭ（Read OnlyMemory）２２などを含んで構成されている。テレビジョン装置１０の詳細な構成については後述する。
【００１３】
ＡＶ（Audio-Visual）アンプ３０には、ＨＤＭＩケーブル７０を介してセットトップボックス４０およびＤＶＤプレーヤー５０が接続されている。ＡＶアンプ３０は、ＨＤＭＩケーブル７０を介してセットトップボックス４０またはＤＶＤプレーヤー５０のいずれか一方から選択的に映像信号および音声信号を取り込み、取り込まれた映像信号および音声信号を処理してからテレビジョン装置１０に出力する。また、ＡＶアンプ３０は、当該装置の動作を統括的に制御するための制御部３２を備えている。この制御部３２は、ＣＰＵ、ＲＡＭ、ＲＯＭなどを含んで構成されている。なお、ＡＶアンプ３０のＲＯＭには、ＡＶアンプ３０にチューナーが搭載されていないことを示す情報が記憶されている。
【００１４】
セットトップボックス４０は、ＢＳ（Broadcasting Satellites）デジタル放送を受信するためのアンテナ４６およびチューナー４４を備えており、放送される映像信号および音声信号を受信する機能を有する。セットトップボックス４０は、受信された映像信号および音声信号をＨＤＭＩケーブル７０を介してＡＶアンプ３０に出力する機能を有する。また、セットトップボックス４０は、当該装置の動作を統括的に制御するための制御部４２を備えている。この制御部４２は、ＣＰＵ、ＲＡＭ、ＲＯＭなどを含んで構成されている。なお、セットトップボックス４０のＲＯＭには、セットトップボックス４０にチューナー４４が搭載されていることを示す情報、およびセットトップボックス４０に搭載されるチューナー４４の種別（ＢＳデジタル放送用）の情報が記憶されている。
【００１５】
ＤＶＤ（Digital Versatile Disc）プレイヤー５０は、ＤＶＤから映像信号および音声信号を読み出して、読み出された映像信号および音声信号をＨＤＭＩケーブル７０を介してＡＶアンプ３０に出力する機能を有する。また、ＤＶＤプレーヤー５０は、当該装置の動作を統括的に制御するための制御部５２を備えている。この制御部５２は、ＣＰＵ、ＲＡＭ、ＲＯＭなどを含んで構成されている。なお、ＤＶＤプレーヤー５０のＲＯＭには、ＤＶＤプレーヤー５０にチューナーが搭載されていないことを示す情報が記憶されている。
【００１６】
ＨＤＤ（Hard Disk Drive）レコーダー６０は、地上アナログ放送を受信するためのアンテナ６６およびチューナー６４を備えており、放送される映像信号および音声信号を受信して、受信された映像信号および音声信号をハードディスクに書き込む機能を有する。また、ＨＤＤレコーダー６０は、受信された映像信号および音声信号をＨＤＭＩケーブル７０を介してテレビジョン装置１０に出力する機能を有する。また、ＨＤＤレコーダー６０は、当該装置の動作を統括的に制御するための制御部６２を備えている。この制御部６２は、ＣＰＵ、ＲＡＭ、ＲＯＭなどを含んで構成されている。なお、ＨＤＤレコーダー６０のＲＯＭには、ＨＤＤレコーダー６０にチューナー６４が搭載されていることを示す情報、およびＨＤＤレコーダー６０に搭載されるチューナー６４の種別（地上アナログ放送用）の情報が記憶されている。
【００１７】
ＨＤＭＩ規格に準拠したケーブルは、映像信号や音声信号などを伝達するための映像・音声用信号線７２、制御信号を伝達するための制御用信号線７６などが１本に纏められたケーブルである。制御用信号線７６は、テレビジョン装置１０の制御部２０、ＡＶアンプ３０の制御部３２、セットトップボックス４０の制御部４２、ＤＶＤプレーヤー５０の制御部５２、およびＨＤＤレコーダー６０の制御部６２を互いに接続している。各ＡＶ機器１０，３０，４０，５０，６０の制御部２０，３２，４２，５２，６２は、制御用信号線７６を介して制御信号をやり取りする。ＡＶ機器間でやり取りされる制御信号は、ＨＤＭＩ‐ＣＥＣ（Consumer Electronics Control）と呼ばれる制御プロトコルに従っている。ＨＤＭＩ‐ＣＥＣに従った制御信号がテレビジョン装置１０と周辺機器３０，４０，５０，６０との間でやり取りされることにより、テレビジョン装置１０および周辺機器３０，４０，５０，６０の連携した動作が実現される。なお、本実施形態においてＡＶ機器間でやり取りされる制御信号は、ＨＤＭＩ‐ＣＥＣで標準的なコマンドであってもよいし、ＡＶ機器の製造者により任意に設定されるベンダーコマンドであってもよい。
【００１８】
次に、図２を参照して、上述したテレビジョン装置１０についてより詳しく説明する。図２には、上述したテレビジョン装置１０の内部構成が示されている。
【００１９】
テレビジョン装置１０は、地上デジタル放送を受信するための手段としてアンテナ１１およびチューナー１２を備えている。アンテナ１１で受信された放送波は、チューナー１２に供給される。チューナー１２は、放送波から所望の周波数の放送信号を選択的に受信し、受信された放送信号の復調処理を行い、復調された放送信号を信号処理部１４に出力する。
【００２０】
また、テレビジョン装置１０は、ＨＤＭＩケーブル７０を介して映像信号および音声信号を取り込むための手段としてＨＤＭＩ受信部１３を備えている。ＨＤＭＩ受信部１３は、ＨＤＭＩケーブル７０に接続されており、外部装置（セットトップボックス４０、ＤＶＤプレーヤー５０、ＨＤＤレコーダー６０など）からＨＤＭＩケーブル７０を介して到来する映像信号および音声信号を受信し、受信された映像信号および音声信号を信号処理部１４に出力する。
【００２１】
また、テレビジョン装置１０は、映像信号に応じてディスプレイ１７に映像を表示させるための手段として信号処理部１４、映像処理部１５および表示処理部１６を備えている。信号処理部１４は、チューナー１２から供給された放送信号から映像信号、音声信号、その他の信号を分離し、複数あるこれらの信号から所望の信号を抽出する。そして、信号処理部１４は、抽出された映像信号を映像処理部１５に出力するとともに、選択された音声信号を音声処理部（不図示）に出力する。また、信号処理部１４は、ＨＤＭＩ受信部１３から供給された映像信号および音声信号に信号処理を施し、信号処理が施された映像信号を映像処理部１５に出力するとともに、信号処理が施された音声信号を音声処理部に出力する。
【００２２】
映像処理部１５は、信号処理部１４から供給された映像信号の画角や色などを適切に調整する処理を行い、調整された映像信号を表示処理部１６に出力する。表示処理部１６は、映像処理部１５から供給された映像信号をディスプレイ１７で表示可能なフォーマットの映像信号に変換し、変換された映像信号をディスプレイ１７に出力する。また、表示処理部１６は、電子番組表（Electronic Program Guide：ＥＰＧ）、オンスクリーンディスプレイ（On Screen Display：ＯＳＤ）などの画像信号を生成し、生成された電子番組表やＯＳＤの画像信号を映像信号と共にディスプレイ１７に出力する。なお、音声処理部は、入力される音声信号をスピーカ（不図示）で再生可能なフォーマットの音声信号に変換した後、スピーカに出力する。
【００２３】
また、テレビジョン装置１０は、既述のとおりテレビジョン装置１０の動作を統括的に制御するための手段としてＣＰＵ２１、ＲＡＭ２３、ＲＯＭ２２を含む制御部２０を備えている。制御部２０のＣＰＵ２１は、テレビジョン装置１０の内部に配設された信号線１８に接続されており、この信号線１８を介して各部に制御信号を送ることによりテレビジョン装置１０の動作を統括的に制御する。また、制御部２０は、ユーザーがキーボード２５やリモートコントローラ２７を操作することによる入力を取り込んで、そのユーザー操作に従うように各部を制御する。ユーザーがリモートコントローラ２７を操作した場合には、そのユーザー操作に応じた赤外線信号がリモートコントローラ２７から送出され、その赤外線信号が受光部２６により感知される。リモートコントローラ２７には、０から９までの数字を入力するためのテンキー、チャンネルを選択するためのチャンネルアップキーおよびチャンネルダウンキー、上下左右のいずれかを入力するための方向キー、ディスプレイに表示される放送の種別を切り替えるための放送切替キーなどが設けられている。
【００２４】
なお、上述した映像表示システムは、本発明の単なる一構成例を示しているに過ぎず、映像表示システムは異なる構成とすることもできる。例えば、上述した実施形態では、複数のＡＶ機器１０，３０，４０，５０，６０はＨＤＭＩケーブル７０により互いに接続されているが、複数のＡＶ機器１０，３０，４０，５０，６０はＩＩＣ−ＢＵＳ（Inter-IC-Bus）やＵＡＲＴ（Universal Asynchronous Receiver Transmitter）などの他の種類のケーブルにより互いに接続されてもよい。
【００２５】
次に、本実施形態の映像表示システムにおいて実行される第１の表示切替処理について説明する。第１の表示切替処理は、テレビジョン装置１０用のリモートコントローラ２７の放送切替キーがユーザーにより押された場合に実行される。図３には、第１の表示切替処理において、テレビジョン装置１０の制御部２０により実行される処理のフローチャートが示されている。ここで説明する表示切替処理は、テレビジョン装置１０の制御部２０がプログラムを実行することにより実現される。
【００２６】
ステップ３０１において、テレビジョン装置１０の制御部２０は、テレビジョン装置１０または周辺機器４０，６０に搭載されたチューナー１２，４４，６４により受信されている映像をディスプレイ１７に表示する。なお、以下の説明では、説明の便宜のために、テレビジョン装置１０に搭載されたチューナー１２により受信されている地上デジタル放送の映像がディスプレイ１７に表示された状況において、以降の処理が行われるものとする。但し、以降の処理は、周辺機器４０，６０のチューナー４４，６４により受信される映像がディスプレイ１７に表示された状況において行われてもよい。
【００２７】
ステップ３０２において、テレビジョン装置１０の制御部２０は、チューナーの切り替えを行うべきチューナー切替条件が満たされたか否かを判定する。ここで、チューナー切替条件は、「リモートコントローラ２７の放送切替キーが操作された」という条件である。ステップ３０２においてチューナー切替条件が満たされたと判定された場合には、テレビジョン装置１０の制御部２０は、ステップ３０３の処理に進む。なお、本実施形態では、放送種別（地上アナログ放送、地上デジタル放送、ＢＳデジタル放送、ＣＳデジタル放送など）を切り替えるための放送切替キーがリモートコントローラ２７に設けられるが、他の実施形態では、放送切替キーがディスプレイ１７にＯＳＤとして表示されてもよい。
【００２８】
ステップ３０３において、テレビジョン装置１０の制御部２０は、テレビジョン装置１０（ステップ３０１で周辺機器４０，６０により受信される映像が表示されていた場合には、その周辺機器４０，６０）に他の種別のチューナーが搭載されているか否かを判定する。ステップ３０３においてテレビジョン装置１０に他の種別のチューナーが搭載されていることが判定された場合には、テレビジョン装置１０の制御部２０は、ステップ３０８の処理に進み、そのチューナーにより受信される最初のチャンネルを選局させ、選局されたチャンネルの映像信号がディスプレイ１７に表示されるように制御する。一方、ステップ３０３においてテレビジョン装置１０に他の種別のチューナーが搭載されていないことが判定された場合には、テレビジョン装置１０の制御部２０は、ステップ３０４の処理に進む。
【００２９】
ステップ３０４において、テレビジョン装置１０の制御部２０は、ＨＤＭＩケーブル７０を介して接続された周辺機器の存在を調べる。テレビジョン装置１０の制御部２０は、テレビジョン装置１０の起動時に周辺機器の有無および物理アドレスを調べるように設定されており、起動後には周辺機器の有無および物理アドレスの情報を蓄積している。よって、テレビジョン装置１０の制御部２０は、蓄積された周辺機器の有無の情報に基づいて、ＨＤＭＩケーブル７０を介して接続された周辺機器の存在を調べればよい。ステップ３０４において周辺機器が存在しないと判定された場合には、テレビジョン装置１０の制御部２０は、ステップ３０８の処理に進み、テレビジョン装置１０に搭載された元のチューナー１２により受信される最初のチャンネルが選局され、選局されたチャンネルの映像信号がディスプレイ１７に表示されるように制御する。ステップ３０４において周辺機器が存在すると判定された場合には、テレビジョン装置１０の制御部２０は、ステップ３０５の処理に進む。
【００３０】
ステップ３０５において、テレビジョン装置１０の制御部２０は、その周辺機器にチューナーが搭載されているか否かを調べるためのチューナー確認コマンドを送信する。このチューナー確認コマンドは、チューナーの有無を問い合わせるための制御信号であると共に、チューナーの種別を問い合わせるための制御信号である。周辺機器は、テレビジョン装置１０からのチューナー確認コマンドを受信すると、ＲＯＭ２２からチューナーの有無を示す情報およびチューナーの種別を示す情報を読み出して、これらの情報を含みチューナーの有無およびチューナーの種別を知らせる応答信号を送信する。チューナーの種別を示す情報とは、例えば、地上アナログ放送、地上デジタル放送、ＢＳデジタル放送、ＣＳデジタル放送などのチューナーが受信する放送種別を示す情報である。ステップ３０５において、テレビジョン装置１０の制御部２０は、周辺機器から送られてくる応答信号を受信すると、ステップ３０６の処理に進む。
【００３１】
ステップ３０６において、テレビジョン装置１０の制御部２０は、周辺機器からの応答信号に基づいて、その周辺機器にチューナーが搭載されているか否かを判定する。ステップ３０６において周辺機器にチューナーが搭載されていないと判定された場合には、テレビジョン装置１０の制御部２０は、ステップ３０４の処理に戻り、ＨＤＭＩケーブル７０を介して接続された周辺機器が他に存在するか否かを調べる。一方、ステップ３０６において周辺機器にチューナーが搭載されていると判定された場合には、テレビジョン装置１０の制御部２０は、ステップ３０７の処理に進む。
【００３２】
ステップ３０７において、テレビジョン装置１０の制御部２０は、独自種別のチューナーを備えるか否かを判定する。すなわち、テレビジョン装置１０の制御部２０は、周辺機器のチューナーの種別がテレビジョン装置１０（ステップ３０１で周辺機器４０，６０により受信される映像が表示されていた場合には、既に映像が表示されたテレビジョン装置１０およびその周辺機器４０，６０）のチューナー１２の種別と異なるか否かを判定する。ステップ３０７において周辺機器のチューナーの種別がテレビジョン装置１０のチューナー１２の種別と異なると判定された場合には、テレビジョン装置１０の制御部２０は、ステップ３０８の処理に進み、その周辺機器のチューナーにより受信される最初のチャンネルが選局され、選局されたチャンネルの映像がディスプレイ１７に表示されるように制御する。一方、ステップ３０７において周辺機器のチューナーの種別がテレビジョン装置１０のチューナー１２の種別と異なると判定された場合には、テレビジョン装置１０の制御部２０は、ステップ３０４の処理に戻り、ＨＤＭＩケーブル７０を介して接続されたさらに他の周辺機器が存在するか否かを調べる。
【００３３】
上述した第１の表示切替処理によれば、ユーザーがテレビジョン装置１０用のリモートコントローラ２７に設けられた放送切替キーを押すと、テレビジョン装置１０のディスプレイ１７に表示される映像が、テレビジョン装置１０のチューナー１２により受信される映像から、周辺機器４０，６０のチューナー４４，６４により受信される映像に切り替えられる。より詳しく説明すると、ユーザーは、放送切替キーを押すことで、テレビジョン装置１０のディスプレイ１７に表示される映像を、テレビジョン装置１０のチューナー１２により受信される映像から、セットトップボックス４０のチューナー４４により受信される映像に切り替えることができる。また、ユーザーは、さらに放送切替キーを押すことで、テレビジョン装置１０のディスプレイ１７に表示される映像を、セットトップボックス４０のチューナー４４により受信される映像から、ＨＤＤレコーダー６０のチューナー６４により受信される映像に切り替えることができる。また、ユーザーは、さらに放送切替キーを押すことで、ＨＤＤレコーダー６０のチューナー６４により受信される映像を、最初に表示されていたテレビジョン装置１０のチューナー１２により受信される映像に切り替えることができる。
【００３４】
特に、上述した第１の表示切替処理によれば、テレビジョン装置１０のディスプレイ１７に表示される映像を切り替える際に、これから映像表示に用いようとするチューナーの種別が既に映像表示に用いたチューナーの種別と異なるか否かが判定され（Ｓ３０７）、チューナーの種別が異なると判定された場合にのみ映像が切り替えられる。よって、ディスプレイ１７には同じ放送種別の映像が重複して表示されることがなく、ユーザーにとって扱いやすくすることができる。
【００３５】
なお、上述した第１の表示切替処理において、チューナーの種別ごとに優先順位を付けて表示切替を行うことも好適である。例えば、ユーザーにより放送切替キーが押される度に、１．地上アナログ放送用のチューナー、２．地上波デジタル放送用のチューナー、３．ＢＳデジタル放送用のチューナー、４．ＣＳデジタル放送用のチューナーの順序で切り替えられるようにしてもよい。このような表示切替処理は、テレビジョン装置１０の制御部２０が、ステップ３０７においてチューナーの種別が優先順位に応じているか否かをさらに判定することにより実現することができる。このような表示切替処理を行うことで、常に同じ順序で映像をディスプレイ１７に表示させることができ、ユーザーにとって映像表示システムをさらに扱いやすくすることができる。
【００３６】
なお、上述した第１の表示切替処理では、ユーザーにより放送切替キーが押されたタイミングで、テレビジョン装置１０の制御部２０は、周辺機器３０，４０，５０，６０の制御部３２，４２，５２，６２にチューナー確認コマンドを送信して、チューナーの有無およびチューナーの種別を問い合わせる。但し、テレビジョン装置１０の制御部２０は、他のタイミングで、周辺機器３０，４０，５０，６０の制御部３２，４２，５２，６２にチューナー確認コマンドを送信して、チューナーの有無およびチューナーの種別を問い合わせてもよい。例えば、テレビジョン装置１０の制御部２０は、テレビジョン装置１０が起動されたタイミングで、周辺機器３０，４０，５０，６０の制御部３２，４２，５２，６２にチューナー確認コマンドを送信して、チューナーの有無およびチューナーの種別を問い合わせてもよい。このようなタイミングでチューナー確認コマンドを送信すれば、チューナーの有無およびチューナーの種別の情報を含むテーブルデータを前もって生成することができ、上述した表示切替処理を迅速に行うことができる。
【００３７】
次に、図４のシーケンス図を参照して、本実施形態の表示切替処理が行われた場合のテレビジョン装置１０およびその周辺機器３０，４０，５０，６０の動作について説明する。図４のシーケンス図には、テレビジョン装置１０およびその周辺機器３０，４０，５０，６０の動作が、テレビジョン装置１０とその周辺機器３０，４０，５０，６０との間でやり取りされる制御信号と共に示されている。
【００３８】
ユーザーによりテレビジョン装置１０用のリモートコントローラ２７の放送切替キーが押されると、テレビジョン装置１０の制御部２０は、ユーザーにより放送切替キーが押されたことを認識する。そして、テレビジョン装置１０の制御部２０は、チューナー切替条件が満たされているため、続いて、テレビジョン装置１０に他の種別のチューナーが搭載されているか否かをチェックする。但し、本実施形態では、テレビジョン装置１０には地上デジタル放送のチューナー１２しか搭載されていないため、テレビジョン装置１０の制御部２０は、他の種別のチューナーがないことを認識する。
【００３９】
次に、テレビジョン装置１０の制御部２０は、ＨＤＭＩケーブル７０を介して接続された周辺機器があるか否かをチェックする。本実施形態では、ＡＶアンプ３０、セットトップボックス４０、ＤＶＤプレーヤー５０、ＨＤＤレコーダー６０等が接続されているため、テレビジョン装置１０の制御部２０は、それらの周辺機器の中で物理アドレスが最も小さいＡＶアンプ３０の存在を第一に確認する。そしで、テレビジョン装置１０の制御部２０は、チューナーの有無およびチューナーの種別を確認するためのチューナー確認コマンドを、制御用信号線７６を介してＡＶアンプ３０に向けて送信する。ＡＶアンプ３０にはチューナーは搭載されていないため、ＡＶアンプ３０の制御部３２は、このチューナー確認コマンドに応じて、チューナーが搭載されていないことを示す応答信号を、制御用信号線７６を介してテレビジョン装置１０に向けて送信する。テレビジョン装置１０の制御部２０は、この応答信号を受信することにより、ＡＶアンプ３０にチューナーが搭載されていないことを認識する。
【００４０】
次に、テレビジョン装置１０の制御部２０は、ＨＤＭＩケーブル７０を介して接続された他の周辺機器があるか否かをチェックする。テレビジョン装置１０の制御部２０は、周辺機器の中で物理アドレスが二番目に小さいセットトップボックス４０の存在を第二に確認する。そしで、テレビジョン装置１０の制御部２０は、チューナーの有無およびチューナーの種別を確認するためのチューナー確認コマンドを、制御用信号線７６を介してセットトップボックス４０に向けて送信する。セットトップボックス４０にはＢＳデジタル放送用のチューナー４４が搭載されているため、セットトップボックス４０の制御部４２は、このチューナー確認コマンドに応じて、ＢＳデジタル放送用のチューナー４４が搭載されていることを示す応答信号を、制御用信号線７６を介してテレビジョン装置１０に向けて送信する。テレビジョン装置１０の制御部２０は、セットトップボックス４０に搭載されたチューナー４４の種別をチェックし、セットトップボックス４０からの応答信号に基づいてセットトップボックス４０にＢＳデジタル放送用のチューナー４４が搭載されていることを認識し、ＢＳデジタル放送用のチューナー４４により受信された映像は未だ表示されていないことを認識する。
【００４１】
次に、テレビジョン装置１０の制御部２０は、チューナーの状態を確認するためのチューナー状態確認コマンドを、制御用信号線７６を介してセットトップボックス４０に向けて送信する。セットトップボックス４０の制御部４２は、このチューナー状態確認コマンドに応じて、セットトップボックス４０に搭載されたチューナー４４が選局中であることを知らせる応答信号を、制御用信号線７６を介してテレビジョン装置１０に向けて送信する。
【００４２】
次に、テレビジョン装置１０の制御部２０は、映像の出力を要求する映像出力要求コマンドを、制御用信号線７６を介してセットトップボックス４０に向けて送信する。セットトップボックス４０の制御部４２は、この映像出力要求コマンドに応じて、ＢＳデジタル放送用のチューナー４４により受信されている最初のチャンネルの映像信号および音声信号を、映像・音声用信号線７２を介してテレビジョン装置１０に向けて出力する。また、ＡＶアンプ３０の制御部３２は、上記の映像出力要求コマンドに応じて、セットトップボックス４０から入力される映像信号および音声信号をテレビジョン装置１０に出力するための処理を行う。また、セットトップボックス４０の制御部４２は、上述したとおり映像信号および音声信号を出力すると共に、映像信号および音声信号が出力されたことを知らせる映像出力通知コマンドを、制御用信号線７６を介して全てのＡＶ機器に向けて送信する。
【００４３】
次に、テレビジョン装置１０の制御部２０は、ディスプレイ１７およびスピーカで再生される映像信号および音声信号を切り替えるように信号処理部１４を制御する。より詳しく説明すると、テレビジョン装置１０の制御部２０は、映像信号および音声信号の入力端子を、テレビジョン装置１０のチューナー１２に接続された入力端子から、ＨＤＭＩケーブル７０を介してセットトップボックス４０に接続された入力端子に切り替える。このような一連の処理の結果、テレビジョン装置１０のディスプレイ１７に表示される映像は、テレビジョン装置１０のチューナー１２により受信される映像から、セットトップボックス４０のチューナー４４により受信される映像に切り替えられる。
【００４４】
次に、本実施形態の映像表示システムにおいて実行される第２の表示切替処理について説明する。第２の表示切替処理は、テレビジョン装置１０用のリモートコントローラ２７のチャンネルアップキーがユーザーにより押された場合に実行される。図５には、第２の表示切替処理において、テレビジョン装置１０の制御部２０により実行される処理のフローチャートが示されている。ここで説明する表示切替処理は、テレビジョン装置１０の制御部２０がプログラムを実行することにより実現される。
【００４５】
ステップ５０１において、テレビジョン装置１０の制御部２０は、テレビジョン装置１０または周辺機器４０，６０に搭載されたチューナー１２，４４，６４により受信されている映像をディスプレイ１７に表示する（Ｓ５０１）。なお、以下の説明では、説明の便宜のために、テレビジョン装置１０に搭載されたチューナー１２により受信される地上デジタル放送の映像がディスプレイ１７に表示された状況において、以降の処理が行われるものとする。但し、以降の処理は、周辺機器４０，６０のチューナー４４，６４により受信される映像がディスプレイ１７に表示された状況において行われてもよい。
【００４６】
ステップ５０２において、テレビジョン装置１０の制御部２０は、チューナーの切り替えを行うべきチューナー切替条件が満たされたか否かを判定する。ここで、チューナー切替条件は、「チューナーにより選局可能なチャンネルの中で最後のチャンネル（すなわち、最も番号の大きいチャンネル）が選局されており、かつ、チャンネルアップキーが操作された」という条件である。ステップ５０２においてチューナー切替条件が満たされたと判定された場合には、テレビジョン装置１０の制御部２０は、ステップ５０３の処理に進む。
【００４７】
ステップ５０３において、テレビジョン装置１０の制御部２０は、テレビジョン装置１０（ステップ５０１で周辺機器４０，６０により受信される映像が表示されていた場合には、その周辺機器４０，６０）に他の種別のチューナーが搭載されているか否かを判定する。ステップ５０３においてテレビジョン装置１０に他の種別のチューナーが搭載されていることが判定された場合には、テレビジョン装置１０の制御部２０は、ステップ５０８の処理に進み、そのチューナーにより受信される最初のチャンネルを選局させ、選局されたチャンネルの映像信号がディスプレイ１７に表示されるように制御する。一方、ステップ５０３においてテレビジョン装置１０に他の種別のチューナーが搭載されていないことが判定された場合には、テレビジョン装置１０の制御部２０は、ステップ５０４の処理に進む。
【００４８】
ステップ５０４において、テレビジョン装置１０の制御部２０は、ＨＤＭＩケーブル７０を介して接続された周辺機器の存在を調べる。テレビジョン装置１０の制御部２０は、テレビジョン装置１０の起動時に周辺機器の有無および物理アドレスを調べるように設定されており、起動後には周辺機器の有無および物理アドレスの情報を蓄積している。よって、テレビジョン装置１０の制御部２０は、蓄積された周辺機器の有無の情報に基づいて、ＨＤＭＩケーブル７０を介して接続された周辺機器の存在を調べればよい。ステップ５０４において周辺機器が存在しないと判定された場合には、テレビジョン装置１０の制御部２０は、ステップ５０８の処理に進み、テレビジョン装置１０に搭載された元のチューナー１２により受信される最初のチャンネルが選局され、選局されたチャンネルの映像信号がディスプレイ１７に表示されるように制御する。ステップ５０４において周辺機器が存在すると判定された場合には、テレビジョン装置１０の制御部２０は、ステップ５０５の処理に進む。
【００４９】
ステップ５０５において、テレビジョン装置１０の制御部２０は、その周辺機器にチューナーが搭載されているか否かを調べるためのチューナー確認コマンドを送信する。このチューナー確認コマンドは、チューナーの有無を問い合わせるための制御信号であると共に、チューナーの種別を問い合わせるための制御信号である。周辺機器は、テレビジョン装置１０からのチューナー確認コマンドを受信すると、ＲＯＭ２２からチューナーの有無を示す情報およびチューナーの種別を示す情報を読み出して、これらの情報を含みチューナーの有無およびチューナーの種別を知らせる応答信号を送信する。チューナーの種別を示す情報とは、例えば、地上アナログ放送、地上デジタル放送、ＢＳデジタル放送、ＣＳデジタル放送などのチューナーが受信する放送種別を示す情報である。ステップ５０５において、テレビジョン装置１０の制御部２０は、周辺機器から送られてくる応答信号を受信すると、ステップ５０６の処理に進む。
【００５０】
ステップ５０６において、テレビジョン装置１０の制御部２０は、周辺機器からの応答信号に基づいて、その周辺機器にチューナーが搭載されているか否かを判定する。ステップ５０６において周辺機器にチューナーが搭載されていないと判定された場合には、テレビジョン装置１０の制御部２０は、ステップ５０４の処理に戻り、ＨＤＭＩケーブル７０を介して接続された周辺機器が他に存在するか否かを調べる。一方、ステップ５０６において周辺機器にチューナーが搭載されていると判定された場合には、テレビジョン装置１０の制御部２０は、ステップ５０７の処理に進む。
【００５１】
ステップ５０７において、テレビジョン装置１０の制御部２０は、独自種別のチューナーを備えるか否かを判定する。すなわち、テレビジョン装置１０の制御部２０は、周辺機器のチューナーの種別がテレビジョン装置１０（ステップ５０１で周辺機器４０，６０により受信される映像が表示されていた場合には、既に映像が表示されたテレビジョン装置１０およびその周辺機器４０，６０）のチューナー１２の種別と異なるか否かを判定する。ステップ５０７において周辺機器のチューナーの種別がテレビジョン装置１０のチューナー１２の種別と異なると判定された場合には、テレビジョン装置１０の制御部２０は、ステップ５０８の処理に進み、その周辺機器のチューナーにより受信される最初のチャンネルが選局され、選局されたチャンネルの映像がディスプレイ１７に表示されるように制御する。一方、ステップ５０７において周辺機器のチューナーの種別がテレビジョン装置１０のチューナー１２の種別と異なると判定された場合には、テレビジョン装置１０の制御部２０は、ステップ５０４の処理に戻り、ＨＤＭＩケーブル７０を介して接続されたさらに他の周辺機器が存在するか否かを調べる。
【００５２】
上述した第２の表示切替処理によれば、ユーザーがテレビジョン装置１０用のリモートコントローラ２７に設けられたチャンネルアップキーを複数回押すと、チューナー切替条件が満たされたタイミングで、テレビジョン装置１０のディスプレイ１７に表示される映像が、テレビジョン装置１０のチューナー１２により受信される映像から、周辺機器４０，６０のチューナー４４，６４により受信される映像に切り替えられる。より詳しく説明すると、ユーザーは、チャンネルアップキーを複数回押すことで、テレビジョン装置１０のディスプレイ１７に表示される映像を、テレビジョン装置１０のチューナー１２により受信される最後のチャンネルの映像から、セットトップボックス４０のチューナー４４により受信される最初のチャンネルの映像に切り替えることができる。また、ユーザーは、さらにチャンネルアップキーを押すことで、テレビジョン装置１０のディスプレイ１７に表示される映像を、セットトップボックス４０のチューナー４４により受信される最後のチャンネルの映像から、ＨＤＤレコーダー６０のチューナー６４により受信される最初のチャンネルの映像に切り替えることができる。また、ユーザーは、さらにチャンネルアップキーを押すことで、ＨＤＤレコーダー６０のチューナー６４により受信される最後のチャンネルの映像を、当初に表示されていたテレビジョン装置１０のチューナー１２により受信される最初のチャンネルの映像に切り替えることができる。
【００５３】
特に、上述した第２の表示切替処理によれば、テレビジョン装置１０のディスプレイ１７に表示される映像を切り替える際に、これから映像表示に用いようとするチューナーの種別が既に映像表示に用いたチューナーの種別と異なるか否かが判定され（Ｓ５０７）、チューナーの種別が異なると判定された場合にのみ映像が切り替えられる。よって、ディスプレイ１７には同じ放送種別の映像が重複して表示されることがなく、ユーザーにとって扱いやすくすることができる。
【００５４】
なお、上述した第２の表示切替処理のステップ５０２の処理において、チューナー切替条件は「チューナーにより最後のチャンネルが選局されており、かつ、チャンネルアップキーが操作された」であったが、「チューナーにより最初のチャンネル（すなわち、最も番号の小さいチャンネル）が選局されており、かつ、チャンネルダウンキーが操作された」という条件においても同様に表示切替処理が行われる。このチューナー切替条件が採用された場合には、テレビジョン装置１０の制御部２０は、ステップ５０８においてチューナーにより受信される最後のチャンネルが選局され、選局されたチャンネルの映像がディスプレイ１７に表示されるように制御する。
【００５５】
なお、上述した第２の表示切替処理において、チューナーの種別ごとに優先順位を付けて表示切替を行うことも好適である。例えば、ユーザーによりチャンネルアップキーが押される度に、１．地上アナログ放送用のチューナー、２．地上波デジタル放送用のチューナー、３．ＢＳデジタル放送用のチューナー、４．ＣＳデジタル放送用のチューナーの順序で切り替えられるようにしてもよい。このような表示切替処理は、テレビジョン装置１０の制御部２０が、ステップ５０７においてチューナーの種別が優先順位に応じているか否かをさらに判定することにより実現することができる。このような表示切替処理を行うことで、常に同じ順序で映像をディスプレイ１７に表示させることができ、ユーザーにとって映像表示システムをさらに扱いやすくすることができる。
【００５６】
なお、上述した第２の表示切替処理では、ユーザーによりチャンネルアップキーが押されたタイミングで、テレビジョン装置１０の制御部２０は、周辺機器３０，４０，５０，６０の制御部３２，４２，５２，６２にチューナー確認コマンドを送信して、チューナーの有無およびチューナーの種別を問い合わせる。但し、テレビジョン装置１０の制御部２０は、他のタイミングで、周辺機器３０，４０，５０，６０の制御部３２，４２，５２，６２にチューナー確認コマンドを送信して、チューナーの有無およびチューナーの種別を問い合わせてもよい。例えば、テレビジョン装置１０の制御部２０は、テレビジョン装置１０が起動されたタイミングで、周辺機器３０，４０，５０，６０の制御部３２，４２，５２，６２にチューナー確認コマンドを送信して、チューナーの有無およびチューナーの種別を問い合わせてもよい。このようなタイミングでチューナー確認コマンドを送信すれば、チューナーの有無およびチューナーの種別の情報を含むテーブルデータを前もって生成することができ、上述した表示切替処理を迅速に行うことができる。
【００５７】
次に、図６のシーケンス図を参照して、本実施形態の表示切替処理が行われた場合のテレビジョン装置１０およびその周辺機器３０，４０，５０，６０の動作について説明する。図６のシーケンス図には、テレビジョン装置１０およびその周辺機器３０，４０，５０，６０の動作が、テレビジョン装置１０とその周辺機器３０，４０，５０，６０との間でやり取りされる制御信号と共に示されている。
【００５８】
ユーザーによりテレビジョン装置１０用のリモートコントローラ２７のチャンネルアップキーが押されると、テレビジョン装置１０の制御部２０は、ユーザーによりチャンネルアップキーが押されたことを認識する。そして、テレビジョン装置１０の制御部２０は、現在ディスプレイ１７に表示されているチャンネルをチェックする。ここで、テレビジョン装置１０の制御部２０は、チューナー１２により最後のチャンネルが選局されていることを判定した場合にはチューナー切替条件が満たされているため、続いて、テレビジョン装置１０に他の種別のチューナーが搭載されているか否かをチェックする。但し、本実施形態では、テレビジョン装置１０には地上デジタル放送のチューナー１２しか搭載されていないため、テレビジョン装置１０の制御部２０は、他の種別のチューナーがないことを判定する。
【００５９】
次に、テレビジョン装置１０の制御部２０は、ＨＤＭＩケーブル７０を介して接続された周辺機器があるか否かをチェックする。本実施形態では、ＡＶアンプ３０、セットトップボックス４０、ＤＶＤプレーヤー５０、ＨＤＤレコーダー６０等が接続されているため、テレビジョン装置１０の制御部２０は、それらの周辺機器の中で物理アドレスが最も小さいＡＶアンプ３０の存在を第一に確認する。そしで、テレビジョン装置１０の制御部２０は、チューナーの有無およびチューナーの種別を確認するためのチューナー確認コマンドを、制御用信号線７６を介してＡＶアンプ３０に向けて送信する。ＡＶアンプ３０にはチューナーは搭載されていないため、ＡＶアンプ３０の制御部３２は、このチューナー確認コマンドに応じて、チューナーが搭載されていないことを示す応答信号を、制御用信号線７６を介してテレビジョン装置１０に向けて送信する。テレビジョン装置１０の制御部２０は、この応答信号を受信することにより、ＡＶアンプ３０にチューナーが搭載されていないことを認識する。
【００６０】
次に、テレビジョン装置１０の制御部２０は、ＨＤＭＩケーブル７０を介して接続された他の周辺機器があるか否かをチェックする。テレビジョン装置１０の制御部２０は、周辺機器の中で物理アドレスが二番目に小さいセットトップボックス４０の存在を第二に確認する。そしで、テレビジョン装置１０の制御部２０は、チューナーの有無およびチューナーの種別を確認するためのチューナー確認コマンドを、制御用信号線７６を介してセットトップボックス４０に向けて送信する。セットトップボックス４０にはＢＳデジタル放送用のチューナー４４が搭載されているため、セットトップボックス４０の制御部４２は、このチューナー確認コマンドに応じて、ＢＳデジタル放送用のチューナー４４が搭載されていることを示す応答信号を、制御用信号線７６を介してテレビジョン装置１０に向けて送信する。テレビジョン装置１０の制御部２０は、セットトップボックス４０に搭載されたチューナー４４の種別をチェックし、セットトップボックス４０からの応答信号に基づいてセットトップボックス４０にＢＳデジタル放送用のチューナー４４が搭載されていることを認識する。
【００６１】
次に、テレビジョン装置１０の制御部２０は、次の番号のチャンネルを選局することを指示するチャンネルアップコマンドを、制御用信号線７６を介してセットトップボックス４０に向けて送信する。セットトップボックス４０の制御部４２は、このチャンネルアップコマンドに応じて、セットトップボックス４０の各部に電力供給を開始するとともに、ＢＳデジタル放送用のチューナー４４に最初のチャンネルを選局させる。そして、テレビジョン装置１０の制御部２０は、映像の出力を要求する映像出力要求コマンドを、制御用信号線７６を介して全ての周辺機器に向けて送信する。セットトップボックス４０の制御部４２は、この映像出力要求コマンドに応じて、ＢＳデジタル放送用のチューナー４４により選局されている最初のチャンネルの映像信号および音声信号を、映像・音声用信号線７２を介してテレビジョン装置１０に向けて出力する。また、ＡＶアンプ３０の制御部３２は、上記の映像出力要求コマンドに応じて、セットトップボックス４０からの映像信号および音声信号をテレビジョン装置１０に出力するための処理を行う。また、セットトップボックス４０の制御部４２は、上述したとおり映像信号および音声信号を出力すると共に、映像信号および音声信号が出力されたことを知らせる映像出力通知コマンドを、制御用信号線７６を介して全てのＡＶ機器に向けて送信する。
【００６２】
次に、テレビジョン装置１０の制御部２０は、ディスプレイ１７およびスピーカで再生される映像信号および音声信号を切り替えるように信号処理部１４を制御する。より詳しく説明すると、テレビジョン装置１０の制御部２０は、映像信号および音声信号の入力端子を、テレビジョン装置１０のチューナー１２に接続された入力端子から、ＨＤＭＩケーブル７０を介してセットトップボックス４０に接続された入力端子に切り替える。このような一連の処理の結果、テレビジョン装置１０のディスプレイ１７に表示される映像は、テレビジョン装置１０に搭載されたチューナー１２により選局される映像から、セットトップボックス４０に搭載されたチューナー４４により選局される映像に切り替えられる。
【００６３】
［第２実施形態］
次に、第２実施形態の映像表示システムについて説明する。第２実施形態の映像表示システムでは、第１実施形態と構成が同じであり、第１実施形態と処理が異なっている。第２実施形態の映像表示システムの処理について概説すると、第２実施形態の映像表示システムでは、周辺機器４０，６０のチューナー４４，６４により選局可能なチャンネルを、テレビジョン装置１０用のリモートコントローラ２７のテンキーに対応付けて登録することができ、テレビジョン装置１０用のリモートコントローラ２７のテンキーを押すことにより周辺機器４０，６０のチューナー４４，６４により選局されるチャンネルの映像をディスプレイ１７に表示することができる。
【００６４】
本実施形態のチャンネルの登録処理について説明する。本実施形態のチャンネルの登録処理は、周辺機器４０，６０のチューナー４４，６４により選局されるチャンネルを、テレビジョン装置１０のリモートコントローラ２７のテンキーに対応付けて登録するために実行される。図７には、この登録処理において、テレビジョン装置１０の制御部２０により実行される処理のフローチャートが示されている。ここで説明する登録処理は、テレビジョン装置１０の制御部２０がプログラムを実行することにより実現される。
【００６５】
ユーザーが周辺機器４０，６０用のリモートコントローラを用いてユーザー好みチャンネルを選局する操作を行うと、周辺機器４０，６０の制御部４２，６２は、ユーザーによる選局操作を認識し、周辺機器４０，６０のチューナー４４，６４にユーザー好みのチャンネルを選局させる。選局されたチャンネルの映像信号および音声信号は、ＨＤＭＩケーブル７０を介してテレビジョン装置１０に向けて出力される。テレビジョン装置１０の制御部２０は、周辺機器４０，６０からの映像信号および音声信号が到来したことを認識すると、映像信号をディスプレイ１７に表示するとともに音声信号をスピーカから出力する（Ｓ７０１）。
【００６６】
ステップ７０２において、ユーザーがテレビジョン装置１０用のリモートコントローラ２７を用いて表示中のチャンネルをテンキーに対応付ける登録操作を行うと、テレビジョン装置１０の制御部２０は、ユーザーによる登録操作を認識する。ここで、表示中のチャンネルをテンキーに対応付ける登録操作とは、例えば、表示中のチャンネルを対応付けようとするテンキーのいずれか１つを３秒間押し続ける操作である。
【００６７】
ステップ７０３において、テレビジョン装置１０の制御部２０は、ユーザーによる登録操作を認識すると、映像信号および音声信号を出力している周辺機器４０，６０に、チューナーについて確認するためのチューナー確認コマンドを送信する。このチューナー確認コマンドは、チューナーの種別を問い合わせるための制御信号であると共に、チューナーの選局情報を問い合わせるための制御信号である。周辺機器４０，６０は、テレビジョン装置１０からのチューナー確認コマンドを受信すると、ＲＯＭからチューナーの種別を示す情報およびチューナーの選局情報を読み出して、これらの情報を含む応答信号を送信する。ステップ７０３において、テレビジョン装置１０の制御部２０は、周辺機器４０，６０から送られてくる応答信号を受信すると、ステップ７０４の処理に進む。
【００６８】
ステップ７０４において、テレビジョン装置１０の制御部２０は、テレビジョン装置１０用のリモートコントローラ２７のポジションテーブルに、表示中のチャンネルを選局するために必要な各種情報を格納する。ここで、表示中のチャンネルを選局するために必要な各種情報とは、周辺機器の物理アドレス、周辺機器に搭載されたチューナーの種別情報、チューナーの選局情報などである。チューナーの選局情報とは、表示中のチャンネルを選局するために必要な情報であり、アナログ放送の場合には放送波の周波数の情報であり、デジタル放送の場合にはtransport_stream_id、service_id、およびnetwork_idである。
【００６９】
次に、図８および図９を参照して、上述した登録処理が行われた場合のテレビジョン装置１０およびその周辺機器３０，４０，５０，６０の動作について説明する。図８および図９のシーケンス図には、テレビジョン装置１０およびその周辺機器３０，４０，５０，６０の動作が、テレビジョン装置１０とその周辺機器３０，４０，５０，６０との間でやり取りされる制御信号と共に示されている。
【００７０】
図８のシーケンス図を参照して、表示中のチャンネルを１キーに対応付けて登録する登録処理について説明する。ユーザーがセットトップボックス４０用のリモートコントローラの電源キーを押すと、セットトップボックス４０の制御部４２は、ユーザーによる操作を認識して、セットトップボックス４０の各部に電力を供給する。そして、セットトップボックス４０の制御部４２は、セットトップボックス４０のチューナー４４により受信される映像信号および音声信号を出力するとともに、映像信号および音声信号が出力されたことを知らせる映像出力通知コマンドを、制御用信号線７６を介して全ての周辺機器１０，３０，５０，６０に向けて送信する。
【００７１】
ＡＶアンプ３０の制御部３２は、上記の映像出力通知コマンドに応じて、セットトップボックス４０から入力される映像信号および音声信号をテレビジョン装置１０に出力するための処理を行う。また、テレビジョン装置１０の制御部２０は、上記の映像出力通知コマンドに応じて、ディスプレイ１７およびスピーカで再生される映像信号および音声信号を切り替えるように信号処理部１４を制御する。より詳しく説明すると、テレビジョン装置１０の制御部２０は、映像信号および音声信号の入力端子を、テレビジョン装置１０のチューナー１２に接続された入力端子から、ＨＤＭＩケーブル７０を介してセットトップボックス４０に接続された入力端子に切り替える。
【００７２】
ユーザーがセットトップボックス４０用のリモートコントローラを用いてチャンネルを選択する操作を行うと、セットトップボックス４０の制御部４２は、ユーザーによる選択操作に応じて、セットトップボックス４０のチューナー４４にチャンネルを選局させるとともに、選局されたチャンネルの映像信号および音声信号を、映像・音声用信号線７２を介してテレビジョン装置１０に向けて出力させる。このような一連の処理の結果、テレビジョン装置１０のディスプレイ１７に表示される映像は、周辺機器のチューナー４４により選局されるユーザー好みのチャンネルの映像に切り替えられる。
【００７３】
ユーザーがテレビジョン装置１０用のリモートコントローラ２７の１キーを３秒間押し続けると、テレビジョン装置１０の制御部２０は、ユーザーによる操作を認識し、チューナーの種別および選局状態を確認するためのチューナー確認コマンドを、制御用信号線７６を介してセットトップボックス４０に向けて送信する。このチューナー確認コマンドは、チューナーの種別を問い合わせるための制御信号であると共に、チューナーの選局情報を問い合わせるための制御信号である。セットトップボックス４０の制御部４２は、チューナー状態確認コマンドを受信すると、チューナー情報を送信する。ここで、チューナー情報には、チューナーの種別情報およびチューナーの選局情報が含まれている。
【００７４】
テレビジョン装置１０の制御部２０は、チューナー情報を受信すると、テレビジョン装置１０用のリモートコントローラ２７のポジションテーブルに、セットトップボックス４０の物理アドレス、チューナー４４の種別情報、チューナー４４の選局情報を、１キーに対応付けて登録する。上述した登録処理の結果、図１０に示されるように、テレビジョン装置１０用のリモートコントローラ２７のポジションテーブルには、ユーザー好みのチャンネルが１キーに対応付けて登録される。より詳しく説明すると、ポジション“ｓｈｉｆｔ＋１”には、セットトップボックス４０の物理アドレスとして“１．１．１．０”、チューナー種別として大分類“デジタル”および中分類“ＢＳデジタル”、チューナーの選局情報としてtransport_stream_id“０００１Ｈ”、service_id“１１１１Ｈ”、network_id“１０００Ｈ”が対応付けて登録されている。
【００７５】
図９のシーケンス図を参照して、表示中のチャンネルを２キーに対応付けて登録する登録処理について説明する。ユーザーがＨＤＤレコーダー６０用のリモートコントローラの電源キーを押すと、ＨＤＤレコーダー６０の制御部６２は、ユーザーによる操作を認識して、ＨＤＤレコーダー６０の各部に電力を供給する。そして、ＨＤＤレコーダー６０の制御部６２は、ＨＤＤレコーダー６０に搭載されるチューナー６４により選局されるチャンネルの映像信号および音声信号を出力するとともに、映像信号および音声信号が出力されたことを知らせる映像出力通知コマンドを、制御用信号線７６を介して全ての周辺機器に向けて送信する。
【００７６】
テレビジョン装置１０の制御部２０は、上記の映像出力通知コマンドに応じて、ディスプレイ１７およびスピーカで再生される映像信号および音声信号を切り替えるように信号処理部１４を制御する。より詳しく説明すると、テレビジョン装置１０の制御部２０は、映像信号および音声信号の入力端子を、テレビジョン装置１０のチューナー１２に接続された入力端子から、ＨＤＭＩケーブル７０を介してＨＤＤレコーダー６０に接続された入力端子に切り替える。
【００７７】
ユーザーがＨＤＤレコーダー６０用のリモートコントローラを用いてチャンネルを選択する操作を行うと、ＨＤＤレコーダー６０の制御部６２は、ユーザーによる選択操作に応じて、ＨＤＤレコーダー６０のチューナー６４にチャンネルを選局させるとともに、選局されたチャンネルの映像信号および音声信号を映像・音声用信号線７２を介してテレビジョン装置１０に向けて出力させる。このような一連の処理の結果、テレビジョン装置１０のディスプレイ１７に表示される映像は、ＨＤＤレコーダー６０のチューナー６４により選局されるユーザー好みのチャンネルの映像に切り替えられる。
【００７８】
次に、ユーザーがテレビジョン装置１０用のリモートコントローラ２７の２キーを３秒間押し続けると、テレビジョン装置１０の制御部２０は、ユーザーによる操作を認識し、チューナーの種別および選局状態を確認するためのチューナー確認コマンドを、制御用信号線７６を介してＨＤＤレコーダー６０に向けて送信する。このチューナー確認コマンドは、チューナーの種別を問い合わせるための制御信号であると共に、チューナーの選局情報を問い合わせるための制御信号である。ＨＤＤレコーダー６０の制御部６２は、チューナー状態確認コマンドを受信すると、チューナー情報を送信する。ここで、チューナー情報には、チューナーの種別情報およびチューナーの選局情報が含まれている。
【００７９】
テレビジョン装置１０の制御部２０は、チューナー情報を受信すると、テレビジョン装置１０用のリモートコントローラ２７のポジションテーブルに、ＨＤＤレコーダー６０の物理アドレス、チューナー６４の種別情報、チューナー６４の選局情報を、２キーに対応付けて登録する。上述した登録処理の結果、図１０に示されるように、テレビジョン装置１０用のリモートコントローラ２７のポジションテーブルには、ユーザー好みのチャンネルが２キーに対応付けて登録される。より詳しく説明すると、ポジション“ｓｈｉｆｔ＋２”には、ＨＤＤレコーダー６０の物理アドレスとして“２．０．０．０”、チューナー種別として大分類“アナログ”および中分類“地上アナログ”、チューナーの選局情報としてアナログ周波数“５．９７５ＭＨｚ”が対応付けて登録されている。
【００８０】
次に、上述したポジションテーブルを利用して実現されるダイレクト選局処理について説明する。ここで、“ダイレクト選局処理”とは、ユーザーがテレビジョン装置１０用のリモートコントローラ２７の単純な操作を行うのみで、周辺機器４０，６０のチューナー４４，６４にユーザー好みのチャンネルを選局させ、テレビジョン装置１０のディスプレイ１７にそのチャンネルの映像を表示させる処理のことである。図１１には、テレビジョン装置１０の制御部２０により実行されるダイレクト選局処理のフローチャートが示されている。ここで説明するダイレクト選局処理は、テレビジョン装置１０の制御部２０がプログラムを実行することにより実現される。
【００８１】
ステップ１１０１において、テレビジョン装置１０の制御部２０は、ユーザーがテレビジョン装置１０用のリモートコントローラ２７を用いてダイレクト選局のための特定操作をしたか否かを判定する。ここで、ダイレクト選局のための特定操作とは、ダイレクト選局処理を開始させる契機となるユーザー操作のことであり、具体的にはユーザーがｓｈｉｆｔキーおよびいずれかのテンキーを同時に押す操作のことである。ステップ１１０１においてユーザーによりダイレクト選局のための特定操作が行われた場合には、テレビジョン装置１０の制御部２０はステップ１１０２の処理に進む。
【００８２】
ステップ１１０２において、テレビジョン装置１０の制御部２０は、ユーザーにより押されたテンキーに対応付けて登録された周辺機器の物理アドレス、チューナー種別情報、選局情報を、ＲＯＭ２２に記憶されたポジションテーブルから読み出す。そして、ステップ１１０３において、テレビジョン装置１０の制御部２０は、その物理アドレスの位置に周辺機器が存在するか否かを判定する。ステップ１１０３において周辺機器が存在すると判定された場合には、テレビジョン装置１０の制御部２０は、ステップ１１０４の処理に進む。一方、ステップ１１０３において周辺機器が存在しないと判定された場合には、テレビジョン装置１０の制御部２０は、ステップ１１０７の処理に進み、ダイレクト選局が実行できないこと知らせる画面表示をディスプレイ１７に表示する。
【００８３】
ステップ１１０４において、テレビジョン装置１０の制御部２０は、周辺機器制御コマンドを制御用信号線７６を介してその周辺機器に向けて送信する。ここで、周辺機器制御コマンドとは、ポジションテーブルから読み出されたチューナー種別情報および選局情報を含む制御信号であり、送信先の周辺機器にチューナー種別情報により特定される種別のチューナーが存在するか否かを問い合わせると共に、その種別のチューナーが存在する場合には選局情報に応じてチャンネルを選局させるための制御信号である。
【００８４】
ステップ１１０５において、テレビジョン装置１０の制御部２０は、映像出力要求コマンドを制御用信号線７６を介して周辺機器に向けて送信し、周辺機器に映像信号および音声信号を出力させる。そして、ステップ１１０６において、テレビジョン装置１０の制御部２０は、周辺機器から出力された映像信号および音声信号を取り込んで、ユーザー好みのチャンネルの映像をディスプレイ１７に表示させる。
【００８５】
次に、上記の周辺機器制御コマンドを受信した場合の周辺機器の制御部の処理について説明する。周辺機器の制御部は、テレビジョン装置１０から周辺機器制御コマンドを受信すると、図１２のフローチャートの処理を開始する。ここで説明する処理は、周辺機器の制御部がプログラムを実行することにより実現される。
【００８６】
ステップ１２０１において、周辺機器の制御部は、テレビジョン装置１０から周辺機器制御コマンドを受信すると、周辺機器の各部に電力を供給するとともに、周辺機器制御コマンドに含まれるチューナー種別情報により特定される種別のチューナーがその周辺機器に搭載されているか否かを判定する。ステップ１２０１においてチューナーが搭載されていると判定された場合には、周辺機器の制御部は、ステップ１２０２の処理に進み、そのチューナーに選局情報に応じたチャンネルを選局させる。一方、ステップ１２０１においてチューナーが搭載されていないと判定された場合には、周辺機器の制御部は、ステップ１２０３の処理に進み、その種別のチューナーが搭載されていないことを知らせる応答信号をテレビジョン装置１０に送信してから処理を終了する。
【００８７】
ステップ１２０４において、周辺機器の制御部は、テレビジョン装置１０から映像出力要求コマンドをさらに受信すると、ステップ１２０５の処理に進み、この映像出力要求コマンドに応じて、チューナーにより選局されているチャンネルの映像信号および音声信号を、映像・音声用信号線７２を介してテレビジョン装置１０に向けて出力する。そして、ステップ１２０６において、周辺機器の制御部は、映像信号および音声信号が出力されたことを知らせる映像出力通知コマンドを、制御用信号線７６を介して全てのＡＶ機器に向けて送信する。
【００８８】
次に、図１３のシーケンス図を参照して、ユーザーによりテレビジョン装置１０用のリモートコントローラ２７のｓｈｉｆｔキーおよび１キーが同時に押されてダイレクト選局処理が実行される場合のテレビジョン装置１０およびその周辺機器３０，４０，５０，６０の動作について説明する。
【００８９】
ユーザーによりテレビジョン装置１０用のリモートコントローラ２７のｓｈｉｆｔキーおよび１キーが同時に押されると、テレビジョン装置１０の制御部２０は、そのユーザーによるダイレクト選局のための特定操作を認識し、図１０に示されるポジションテーブルにおいて“１キー”に対応付けて登録された情報を読み出す。ここで、テレビジョン装置１０の制御部２０は、ポジションテーブルから物理アドレス“１．１．１．０”、チューナー種別情報“デジタル”，“ＢＳデジタル”、選局情報“transport_stream_id”,“service_id”,“network_id”を読み出す。
【００９０】
次に、テレビジョン装置１０の制御部２０は、ポジションテーブルから読み出された物理アドレス“１．１．１．０”の位置に周辺機器が存在するか否かを確認する処理を行う。この処理により、テレビジョン装置１０の制御部２０は、その物理アドレスの位置にセットトップボックス４０が接続されていることを認識する。
【００９１】
次に、テレビジョン装置１０の制御部２０は、ポジションテーブルから読み出されたチューナー種別情報および選局情報を含む周辺機器制御コマンドを、制御用信号線７６を介してセットトップボックス４０に向けて送信する。セットトップボックス４０の制御部４２は、周辺機器制御コマンドを受信すると、セットトップボックス４０の各部に電力を供給してから、チューナー種別情報により特定される種別のチューナー４４がセットトップボックス４０に搭載されていることを確認し、そのチューナー４４に選局情報に応じてチャンネルを選局させる。
【００９２】
次に、テレビジョン装置１０の制御部２０は、セットトップボックス４０からの映像信号および音声信号の出力を要求するための映像出力要求コマンドを、制御用信号線７６を介してセットトップボックス４０に向けて送信する。セットトップボックス４０の制御部４２は、映像出力要求コマンド信号を受信すると映像信号および音声信号の出力を開始するとともに、映像信号および音声信号の出力が開始されたことを知らせる映像出力通知コマンドを出力する。また、ＡＶアンプ３０は、映像出力要求コマンドを受信すると、セットトップボックス４０から入力される映像信号および音声信号をテレビジョン装置１０に向けて出力する。
【００９３】
次に、テレビジョン装置１０の制御部２０は、セットトップボックス４０からの映像出力通知コマンドを受信すると、ディスプレイ１７およびスピーカで再生される映像信号および音声信号を切り替えるように信号処理部１４を制御する。より詳しく説明すると、テレビジョン装置１０の制御部２０は、映像信号および音声信号の入力端子を、テレビジョン装置１０のチューナー１２に接続された入力端子から、ＨＤＭＩケーブル７０を介してセットトップボックス４０に接続された入力端子に切り替える。この結果、テレビジョン装置１０のディスプレイ１７にＢＳデジタル放送のユーザ好みのチャンネルの映像を表示させることができ、ユーザーはＢＳデジタル放送の番組を視聴することができる。
【００９４】
次に、図１４のシーケンス図を参照して、ユーザーによりテレビジョン装置１０用のリモートコントローラ２７のｓｈｉｆｔキーおよび２キーが同時に押されてダイレクト選局処理が実行される場合のテレビジョン装置１０およびその周辺機器の動作について説明する。
【００９５】
ユーザーによりテレビジョン装置１０用のリモートコントローラ２７のｓｈｉｆｔキーおよび２キーが同時に押されると、テレビジョン装置１０の制御部２０は、そのユーザーによるダイレクト選局のための特定操作を認識し、図１０に示されるポジションテーブルにおいて“２キー”に対応付けて登録された情報を読み出す。ここで、テレビジョン装置１０の制御部２０は、ポジションテーブルから物理アドレス“２．０．０．０”、チューナー種別情報“アナログ”，“地上アナログ”、選局情報“５．９７５ＭＨｚ”を読み出す。
【００９６】
次に、テレビジョン装置１０の制御部２０は、ポジションテーブルから読み出された物理アドレス“２．０．０．０”の位置に周辺機器が存在するか否かを確認する処理を行う。この処理により、テレビジョン装置１０の制御部２０は、その物理アドレスの位置にＨＤＤレコーダー６０が接続されていることを認識する。
【００９７】
次に、テレビジョン装置１０の制御部２０は、ポジションテーブルから読み出されたチューナー種別情報および選局情報を含む周辺機器制御コマンドを、制御用信号線７６を介してＨＤＤレコーダー６０に向けて送信する。ＨＤＤレコーダー６０の制御部６２は、周辺機器制御コマンドを受信すると、ＨＤＤレコーダー６０の各部に電力を供給してから、チューナー種別情報により特定される種別のチューナー６４がＨＤＤレコーダー６０に搭載されていることを確認し、そのチューナー６４に選局情報に応じてチャンネルを選局させる。
【００９８】
次に、テレビジョン装置１０の制御部２０は、ＨＤＤレコーダー６０からの映像信号および音声信号の出力を要求するための映像出力要求コマンドを、制御用信号線７６を介してＨＤＤレコーダー６０に向けて送信する。ＨＤＤレコーダー６０の制御部６２は、映像出力要求コマンド信号を受信すると映像信号および音声信号の出力を開始するとともに、映像信号および音声信号の出力が開始されたことを知らせる映像出力通知コマンドを出力する。
【００９９】
次に、テレビジョン装置１０の制御部２０は、ＨＤＤレコーダー６０からの映像出力通知コマンドを受信すると、ディスプレイ１７およびスピーカで再生される映像信号および音声信号を切り替えるように信号処理部１４を制御する。より詳しく説明すると、テレビジョン装置１０の制御部２０は、映像信号および音声信号の入力端子を、テレビジョン装置１０のチューナー１２に接続された入力端子から、ＨＤＭＩケーブル７０を介してＨＤＤレコーダー６０に接続された入力端子に切り替える。この結果、テレビジョン装置１０のディスプレイ１７に地上アナログ放送のユーザ好みのチャンネルの映像を表示させることができ、ユーザーは地上アナログ放送の番組を視聴することができる。
【０１００】
上述したダイレクト選局処理によれば、ユーザーはテレビジョン装置１０用のリモートコントローラ２７を用いてダイレクト選局のための単純な特定操作を行うのみで、周辺機器のチューナーにユーザー好みのチャンネルを選局させ、テレビジョン装置１０のディスプレイ１７にそのチャンネルの映像を表示させることができる。特に、上述したダイレクト選局処理によれば、周辺機器制御コマンドに含まれるチューナー種別情報により、周辺機器で選局に用いられるチューナーは決定されるため、ユーザーは所望の種別のチューナーにより選局されるチャンネルの映像を視聴することができる。
【０１０１】
なお、上述した実施形態のダイレクト選局処理によれば、周辺機器の位置を特定するための物理アドレスがポジションテーブルに登録されており、テレビジョン装置１０の制御部２０は、物理アドレスにより特定される位置の周辺機器に周辺機器制御コマンドを送信している。但し、他の実施形態のダイレクト選局処理によれば、周辺機器の位置を特定するための物理アドレスがポジションテーブルに登録されておらず、テレビジョン装置１０の制御部２０は、ＨＤＭＩケーブル７０を介して接続された全ての周辺機器に周辺機器制御コマンドを送信してもよい。この場合、周辺機器の制御部は、周辺機器制御コマンドを受信すると、周辺機器制御コマンドに含まれるチューナー種別コマンドにより特定される種別のチューナーが搭載されているか否かをチェックし、その種別のチューナーが搭載されている場合にそのチューナーに選局情報に応じてチャンネルを選局させればよい。
【図面の簡単な説明】
【０１０２】
【図１】本発明の実施形態に係る映像表示システムを示すブロック図である。
【図２】本発明の実施形態に係るテレビジョン装置を示すブロック図である。
【図３】チャンネルアップキーが押されたときの表示切替処理（テレビジョン装置の処理）を示すフローチャートである。
【図４】チャンネルアップキーが押されたときの表示切替処理のシーケンス図である。
【図５】放送種別切替キーが押されたときの表示切替処理（テレビジョン装置の処理）を示すフローチャートである。
【図６】放送種別切替キーが押されたときの表示切替処理のシーケンス図である。
【図７】ダイレクト選局のための登録処理を示すフローチャートである。
【図８】ダイレクト選局のための登録処理（１キー）を示すシーケンス図である。
【図９】ダイレクト選局のための登録処理（２キー）を示すシーケンス図である。
【図１０】テレビジョン装置用のリモートコントローラのポジションテーブルである。
【図１１】ダイレクト選局処理（テレビジョン装置の処理）を示すフローチャートである。
【図１２】ダイレクト選局処理（周辺機器の処理）を示すフローチャートである。
【図１３】ダイレクト選局処理（１キー）を示すシーケンス図である。
【図１４】ダイレクト選局処理（２キー）を示すシーケンス図である。
【符号の説明】
【０１０３】
１…映像表示システム、１０…テレビジョン装置、１１…アンテナ、１２…チューナー、１３…ＨＤＭＩ受信部、１４…信号処理部、１５…映像処理部、１６…表示処理部、１７…ディスプレイ、２０…制御部、２１…ＣＰＵ、２２…ＲＯＭ、２３…ＲＡＭ、２５…キーボード、２６…受光部、２７…リモートコントローラ、３０…ＡＶアンプ、３２…制御部、４０…セットトップボックス、４２…制御部、４４…チューナー、４６…アンテナ、５０…ＤＶＤプレーヤー、５２…制御部、６０…ＨＤＤレコーダー、６２…制御部、６４…チューナー、６６…アンテナ。
【図１】
2008079128.tif 000003
【図２】
2008079128.tif 000004
【図３】
2008079128.tif 000005
【図４】
2008079128.tif 000006
【図５】
2008079128.tif 000007
【図６】
2008079128.tif 000008
【図７】
2008079128.tif 000009
【図８】
2008079128.tif 000010
【図９】
2008079128.tif 000011
【図１０】
2008079128.tif 000012
【図１１】
2008079128.tif 000013
【図１２】
2008079128.tif 000014
【図１３】
2008079128.tif 000015
【図１４】
2008079128.tif 000016